(57)【特許請求の範囲】
【請求項１】
発光体を収容し、該発光体が発する光を出射する開口を有するシャーシと、開口を有する枠状をなし、前記シャーシの開口の周縁を覆って配された第１フレームと、開口を有する枠状をなし、前記第１フレームに連ねて配された第２フレームと、前記第１フレーム及び前記第２フレームの間に保持された表示素子とを備える表示装置において、
前記第１フレームは前記シャーシに回動可能に取り付けてあり、
前記第２フレームは前記第１フレームに回動可能に取り付けてあること
を特徴とする表示装置。
【請求項２】
前記シャーシ及び前記第１フレームの間に保持され、前記発光体が発する光を面光源として前記表示素子へ照射する光学部材を備える請求項１に記載の表示装置。
【請求項３】
前記シャーシ又は前記第１フレームの一方に突設された支軸と、
前記シャーシ又は前記第１フレームの他方に形成され、前記支軸に嵌合する嵌合穴と
を備える請求項１又は請求項２に記載の表示装置。
【請求項４】
前記第１フレーム又は前記第２フレームの一方に突設された支軸と、
前記第１フレーム又は前記第２フレームの他方に形成され、前記支軸に嵌合する嵌合穴と
を備える請求項１から請求項３のいずれか１つに記載の表示装置。
【請求項５】
前記第１フレームは、
略矩形の枠状をなし、
一辺側で前記シャーシに回動可能に取り付けられ、
前記一辺の対辺側に前記第２フレームが回動可能に取り付けてある請求項１から請求項４のいずれか１つに記載の表示装置。
【請求項６】
前記一辺側及び前記対辺側は、前記第１フレームの短辺側にしてある請求項５に記載の表示装置。
【請求項７】
前記シャーシに対する前記第１フレームの回動を規制する第１規制手段と、
前記第１フレームに対する前記第２フレームの回動を規制する第２規制手段と
を備える請求項１から請求項６のいずれか１つに記載の表示装置。
【請求項８】
前記第１規制手段による規制を解除した場合に、前記第１フレームが前記第２フレームと共に、前記シャーシに対して回動可能となるようにしてあり、
前記第２規制手段による規制を解除した場合に、前記第２フレームが前記シャーシ及び前記第１フレームに対して回動可能となるようにしてある請求項７に記載の表示装置。
【請求項９】
前記第１フレームが、略矩形の枠状をなし、一辺側で前記シャーシに取り付けられ、前記一辺の対辺側に前記第２フレームが取り付けてある場合に、
前記第１規制手段は前記対辺側に設けてあり、
前記第２規制手段は前記一辺側に設けてある請求項７又は請求項８に記載の表示装置。
【発明の詳細な説明】
【技術分野】
【０００１】
本発明は、蛍光管又はＬＥＤ等の発光体を有し、発光体からの光を表示素子の背面に照射して映像の表示を行う表示装置に関する。
【背景技術】
【０００２】
近年、映像を表示する装置として液晶パネルを用いた液晶表示装置が普及している。液晶表示装置は、光源をなす蛍光管又はＬＥＤ等の発光体が発する光を、拡散板、拡散シート、プリズムシート及び偏光シート等の板状又はシート状をなす光学部材を通して拡散し、液晶パネルの背面に均一に照射して、液晶パネルの表示面に映像を表示するようにしてある。液晶表示装置に備えられる発光体、光学部材及び液晶パネル等は、液晶表示装置の使用と共に劣化する可能性があり、劣化した場合には、発光体、光学部材及び液晶パネル等の交換を行う必要がある。
【０００３】
特許文献１においては、バックライトを収納する下側ケースと、下側ケースに搭載され、液晶表示パネル及び光拡散板を保持する中間フレームと、液晶表示パネルの表示領域の周辺を覆う金属製シールドケースとを備え、金属製シールドケースに、中間フレームに形成された凹部に係合する爪と、下側ケースに形成された突起に係合するフックとを設けた液晶表示装置が提案されている。この液晶表示装置においては、金属製シールドケースのフック及び下側ケースの突起の係合を解除して分解することによりバックライトの交換を簡単に行うことができ、また、金属製シールドケースの爪及び中間フレームの凹部の係合を解除して分解することにより液晶表示パネル及び光拡散板の交換を簡単に行うことができるという利点がある。
【特許文献１】特開２００２−３０３８５１号公報
【発明の開示】
【発明が解決しようとする課題】
【０００４】
しかしながら、特許文献１に記載の液晶表示装置においては、例えばバックライトの交換を行う場合に、金属製シールドケースのフック及び下側ケースの突起の係合を解除し、一体をなす金属製シールドケース及び中間フレームを下側ケースから分離して作業を行う床上又は机上等に載置し、その後にバックライトの交換を行う必要がある。このため、交換作業を行うための作業領域が、下側ケースの載置面積の約２倍以上必要であるため、作業性が悪いという問題がある。特に、近年では表示装置は大型化しており、より作業性が悪化する虞がある。
【０００５】
また、バックライトの交換後、分離した金属製シールドケース及び中間フレームを下側ケースに取り付け、金属製シールドケースのフック及び下側ケースの突起を係合させる必要がある。この場合、金属製シールドケース及び中間フレームを下側ケースに取り付けるときに、金属製シールドケースのフック及び下側ケースの突起が係合可能なように、金属製シールドケース及び下側ケースを位置決めしながら取り付けを行う必要がある。金属製シールドケース及び中間フレームを下側ケースに位置決めしながら取り付けを行う作業は難易度が高いという問題がある。特に、大型の表示装置の場合には、作業者が一人でこの作業を行うことが不可能である虞がある。
【０００６】
本発明は、斯かる事情に鑑みてなされたものであって、その目的とするところは、蛍光管又はＬＥＤ等の発光体を収容するシャーシに、シャーシの開口の周縁を覆う枠状の第１フレームを回動可能に取り付け、第１フレームに枠状の第２フレームを回動可能に取り付け、第１フレーム及び第２フレームの間に表示素子を保持する構成とすることにより、発光体及び表示素子の交換作業を行う場合の作業性が良好な表示装置を提供することにある。
【０００７】
また本発明の他の目的とするところは、シャーシ及び第１フレームの間に拡散板、拡散シート、プリズムシート及び偏光シート等の光学部材を保持する構成とすることにより、光学部材の交換作業を行う場合の作業性が良好な表示装置を提供することにある。
【０００８】
また本発明の他の目的とするところは、シャーシ又は第１フレームのいずれか一方に支軸を突設し、他方に支軸と嵌合する嵌合穴を形成する構成とすることにより、第１フレームを回動させる機構を簡単に実現できる表示装置を提供することにある。
【０００９】
また本発明の他の目的とするところは、第１フレーム又は第２フレームのいずれか一方に支軸を突設し、他方に支軸と嵌合する嵌合穴を形成する構成とすることにより、第２フレームを回動させる機構を簡単に実現できる表示装置を提供することにある。
【００１０】
また本発明の他の目的とするところは、第１フレームが略矩形の枠状である場合に、シャーシに対して第１フレームを回動させる機構を第１フレームの一辺側に設け、第１フレームに対して第２フレームを回動させる機構を第１フレームの対辺側に設ける構成とすることにより、第１フレーム及び第２フレームの回動が行いやすい表示装置を提供することにある。
【００１１】
また本発明の他の目的とするところは、第１フレーム及び第２フレームを回動させる機構を、略矩形をなす第１フレームの短辺側にそれぞれ設ける構成とすることにより、第１フレーム及び第２フレームの回動がより行いやすい表示装置を提供することにある。
【００１２】
また本発明の他の目的とするところは、第１フレームの回動を規制する第１規制手段、及び第２フレームの回動を規制する第２規制手段を備える構成とすることにより、表示素子、発光体及び光学部材等を確実に保持することができる表示装置を提供することにある。
【００１３】
また本発明の他の目的とするところは、第１規制手段による規制を解除した場合に、第１フレームが第２フレームと共にシャーシに対して回動し、また、第２規制手段による規制を解除した場合に、第２フレームがシャーシ及び第１フレームに対して回動する構成とすることにより、表示素子、発光体及び光学部材等の交換をより行いやすい表示装置を提供することにある。
【００１４】
また本発明の他の目的とするところは、第１フレームが略矩形の枠状である場合に、第１フレームを回動させる機構を第１フレームの一辺側に設けて、対辺側に第１規制手段を設け、第２フレームを回動させる機構を対辺側に設けて、一辺側に第２規制手段を設ける構成とすることにより、第１フレーム及び第２フレームの回動が行いやすく、また、表示素子、発光体及び光学部材等を確実に保持することができる表示装置を提供することにある。
【課題を解決するための手段】
【００１５】
本発明に係る表示装置は、発光体を収容し、該発光体が発する光を出射する開口を有するシャーシと、開口を有する枠状をなし、前記シャーシの開口の周縁を覆って配された第１フレームと、開口を有する枠状をなし、前記第１フレームに連ねて配された第２フレームと、前記第１フレーム及び前記第２フレームの間に保持された表示素子とを備える表示装置において、前記第１フレームは前記シャーシに回動可能に取り付けてあり、前記第２フレームは前記第１フレームに回動可能に取り付けてあることを特徴とする。
【００１６】
本発明においては、蛍光管又はＬＥＤ等の発光体を収容するシャーシの開口を枠状の第１フレームで覆い、第１フレームを第２フレームで覆い、第１フレーム及び第２フレームの間に表示素子を設ける。シャーシに第１フレームを回動可能に取り付ける構成とすることで、第１フレーム及び第２フレームを一体にシャーシに対して回動させて、シャーシの開口を通して発光体の交換を行うことができるようになる。また、第１フレームに第２フレームを回動可能に取り付ける構成とすることで、第２フレームを第１フレームに対して回動させて、第１フレーム及び第２フレームの間に設けられた表示素子の交換を行うことができるようになる。
【００１７】
また、本発明に係る表示装置は、前記シャーシ及び前記第１フレームの間に保持され、前記発光体が発する光を面光源として前記表示素子へ照射する光学部材を備えること特徴とする。
【００１８】
本発明においては、シャーシ及び第１フレームの間に拡散板、拡散シート、プリズムシート及び偏光シート等の光学部材を設ける。これにより、第１フレームをシャーシに対して回動させて、光学部材の交換を行うことができるようになる。
【００１９】
また、本発明に係る表示装置は、前記シャーシ又は前記第１フレームの一方に突設された支軸と、前記シャーシ又は前記第１フレームの他方に形成され、前記支軸に嵌合する嵌合穴とを備えることを特徴とする。
【００２０】
本発明においては、シャーシ又は第１フレームのいずれか一方に支軸を突設し、他方に支軸と嵌合する嵌合穴を形成する。支軸及び嵌合穴を嵌合させることで、支軸を中心に第１フレームをシャーシに対して回動させることができる。
【００２１】
また、本発明に係る表示装置は、前記第１フレーム又は前記第２フレームの一方に突設された支軸と、前記第１フレーム又は前記第２フレームの他方に形成され、前記支軸に嵌合する嵌合穴とを備えることを特徴とする。
【００２２】
本発明においては、第１フレーム又は第２フレームのいずれか一方に支軸を突設し、他方に支軸と嵌合する嵌合穴を形成する。支軸及び嵌合穴を嵌合させることで、支軸を中心に第２フレームを第１フレームに対して回動させることができる。
【００２３】
また、本発明に係る表示装置は、前記第１フレームが、略矩形の枠状をなし、一辺側で前記シャーシに回動可能に取り付けられ、前記一辺の対辺側に前記第２フレームが回動可能に取り付けてあることを特徴とする。
【００２４】
本発明においては、第１フレームが略矩形の枠状である場合に、シャーシに対して第１フレームを回動させる機構を第１フレームの一辺側に設け、第１フレームに対して第２フレームを回動させる機構を第１フレームの対辺側に設ける。第１フレームと第２フレームとの回動の中心及び方向等を別にすることで、第１フレームを回動させる場合には、第１フレームと共に第２フレームを一体的に回動させ、第２フレームを回動させる場合には、第２フレームのみを第１フレームに対して回動させることができる。
【００２５】
また、本発明に係る表示装置は、前記一辺側及び前記対辺側が、前記第１フレームの短辺側にしてあることを特徴とする。
【００２６】
本発明においては、第１フレーム及び第２フレームを回動させる機構を、略矩形をなす第１フレームの短辺側にそれぞれ設ける。表示装置は、略矩形をなす表示面の長辺側が上下側となり、短辺側が左右側となるように設置されるため、表示装置が設置された状態では、第１フレーム及び第２フレームの回動を、表示装置の左右方向に行うことができる。
【００２７】
また、本発明に係る表示装置は、前記シャーシに対する前記第１フレームの回動を規制する第１規制手段と、前記第１フレームに対する前記第２フレームの回動を規制する第２規制手段とを備えることを特徴とする。
【００２８】
本発明においては、シャーシ及び第１フレームを例えばねじ及びねじ穴、又は爪及び凹部等を用いて固定することにより回動を規制する第１規制手段を設ける。また、同様に第１フレーム及び第２フレームを固定することにより回動を規制する第２規制手段を設ける。表示素子、発光体及び光学部材を交換する場合以外では、第１フレーム及び第２フレームがそれぞれ回動せず、表示素子、発光体及び光学部材を確実に保持できる。
【００２９】
また、本発明に係る表示装置は、前記第１規制手段による規制を解除した場合に、前記第１フレームが前記第２フレームと共に、前記シャーシに対して回動可能となるようにしてあり、前記第２規制手段による規制を解除した場合に、前記第２フレームが前記シャーシ及び前記第１フレームに対して回動可能となるようにしてあることを特徴とする。
【００３０】
本発明においては、第１規制手段による規制のみを解除した場合には、第１フレームが第２フレームと共にシャーシに対して回動し、第２フレームは第１フレームに対して回動しないようにすることによって、発光体及び光学部材の交換が行いやすくなる。また、第２規制手段による規制のみを解除した場合には、第２フレームが第１フレーム及びシャーシに対して回動し、第１フレームはシャーシに対して回動しないようにすることによって、表示素子の交換が行いやすくなる。
【００３１】
また、本発明に係る表示装置は、前記第１フレームが、略矩形の枠状をなし、一辺側で前記シャーシに取り付けられ、前記一辺の対辺側に前記第２フレームが取り付けてある場合に、前記第１規制手段は前記対辺側に設けてあり、前記第２規制手段は前記一辺側に設けてあることを特徴とする。
【００３２】
本発明においては、第１フレームが略矩形の枠状である場合に、第１フレームを回動させる機構を第１フレームの一辺側に設けて、対辺側に第１規制手段を設ける。よって、第１フレームの回動を確実に規制できる。同様にして、第２フレームを回動させる機構を対辺側に設けて、一辺側に第２規制手段を設ける。よって、第２フレームの回動を確実に規制できる。
【発明の効果】
【００３３】
本発明による場合は、発光体を収容するシャーシに、シャーシの開口の周縁を覆う枠状の第１フレームを回動可能に取り付け、第１フレームに枠状の第２フレームを回動可能に取り付け、第１フレーム及び第２フレームの間に表示素子を保持する構成とすることにより、第１フレーム及び第２フレームを一体にシャーシに対して回動させて、シャーシの開口を通して発光体の交換を行うことができ、また、第２フレームを第１フレームに対して回動させて、第１フレーム及び第２フレームの間に設けられた表示素子の交換を行うことができるため、交換作業を行うための作業領域が、シャーシの載置面積程度でよく、作業性が向上する。また、交換作業の終了後に、シャーシに対して第１フレームを位置決めする必要がなく、又は第１フレームに対して第２フレームを位置決めする必要がないため、発光体及び表示素子の交換作業を行う場合の作業性が良好であり、大型の表示装置であっても、一人の作業者のみで交換作業を行なうことができる。
【００３４】
また、本発明による場合は、シャーシ及び第１フレームの間に光学部材を保持する構成とすることにより、第１フレームをシャーシに対して回動させて、光学部材の交換を行うことができるため、光学部材の交換作業を行う場合の作業性が向上する。
【００３５】
また、本発明による場合は、シャーシ又は第１フレームのいずれか一方に支軸を突設し、他方に支軸と嵌合する嵌合穴を形成する構成とすることにより、支軸及び嵌合穴を嵌合させて、支軸を中心に第１フレームをシャーシに対して回動させることができるため、第１フレームを回動させる機構を簡単に実現でき、この機構を備えることによる表示装置のコストの増加を抑制できる。
【００３６】
また、本発明による場合は、第１フレーム又は第２フレームのいずれか一方に支軸を突設し、他方に支軸と嵌合する嵌合穴を形成する構成とすることにより、支軸及び嵌合穴を嵌合させて、支軸を中心に第２フレームを第１フレームに対して回動させることができるため、第２フレームを回動させる機構を簡単に実現でき、この機構を備えることによる表示装置のコストの増加を抑制できる。
【００３７】
また、本発明による場合は、第１フレームが略矩形の枠状である場合に、シャーシに対して第１フレームを回動させる機構を第１フレームの一辺側に設け、第１フレームに対して第２フレームを回動させる機構を第１フレームの対辺側に設ける構成とすることにより、第１フレームと第２フレームとの回動の中心及び方向等が別になり、第１フレームを回動させる場合には、第１フレームと共に第２フレームを確実に一体的に回動させることができ、第２フレームを回動させる場合には、第２フレームのみを確実に第１フレームに対して回動させることができるため、第１フレーム及び第２フレームの回動が行いやすく、作業性が向上する。
【００３８】
また、本発明による場合は、第１フレーム及び第２フレームを回動させる機構を、略矩形をなす第１フレームの短辺側にそれぞれ設ける構成とすることにより、表示装置が設置された状態では、第１フレーム及び第２フレームの回動を、表示装置の左右方向に行うことができるため、第１フレーム及び第２フレームの回動がより行いやすく、交換作業を行う場合の作業性が向上する。
【００３９】
また、本発明による場合は、第１フレームの回動を規制する第１規制手段、及び第２フレームの回動を規制する第２規制手段を備える構成とすることにより、表示素子、発光体及び光学部材を交換する場合以外では、第１フレーム及び第２フレームがそれぞれ回動せず、表示素子、発光体及び光学部材を確実に保持できるため、表示装置の信頼性を高める事ができる。
【００４０】
また、本発明による場合は、第１規制手段による規制のみを解除した場合に、第１フレームが第２フレームと共にシャーシに対して回動する構成とすることにより、発光体及び光学部材の交換が行いやすくなる。また、第２規制手段による規制のみを解除した場合に、第２フレームが第１フレーム及びシャーシに対して回動する構成とすることにより、表示素子の交換が行いやすくなる。よって、交換作業を行う場合の作業性が向上する。
【００４１】
また、本発明による場合は、第１フレームが略矩形の枠状である場合に、第１フレームを回動させる機構を第１フレームの一辺側に設けて、対辺側に第１規制手段を設ける構成とすることにより、第１フレームの回動を確実に規制できる。また、第２フレームを回動させる機構を対辺側に設けて、一辺側に第２規制手段を設ける構成とすることにより、第２フレームの回動を確実に規制できる。よって、交換作業を行わない場合に、表示素子、発光体及び光学部材等を確実に保持することができる
【発明を実施するための最良の形態】
【００４２】
以下、本発明をその実施の形態を示す図面に基づき具体的に説明する。本実施の形態においては、表示装置として、液晶パネルを備える液晶表示装置を例に説明を行う。図１は、本発明に係る液晶表示装置の構成を示す分解斜視図である。図において１は液晶表示装置の光源装置であり、光源装置１は光源をなす複数の蛍光管４１、４１…を備え、蛍光管４１、４１…からの光を液晶パネル５０の背面に照射して、液晶パネル５０に映像を表示するようにしてある。
【００４３】
光源装置１は、複数の蛍光管４１、４１…を収容するための合成樹脂製のバックライトシャーシ１０を備えている。バックライトシャーシ１０は、略長方形の開口１１を有する略長方形の枠部１２と、枠部１２の背面に開口１１を塞いで設けられ、枠部１２と略同じ大きさの略長方形をなす背面板１３とを備えている。また、枠部１２の正面部分の内側には、開口１１の内周に沿って略垂直に窪ませた光学部材受部１４が形成されている。バックライトシャーシ１０の開口１１内には、枠部１２の両短辺側の内側面に沿って、長さが開口１１の短辺の長さに略等しく、厚さが枠部１２の厚さに略等しい略直方体型のバックライト支持体１７、１７がそれぞれ収容されている。
【００４４】
バックライト支持体１７、１７は、一側面に複数の蛍光管挿入穴１８、１８…が略等間隔に並設されており、内部に図示しない蛍光管４１、４１…に接続される接続端子が備えられ、蛍光管挿入穴１８、１８…に蛍光管４１、４１…を挿入することで、蛍光管４１、４１…が接続端子に接続されるようにしてある。なお、枠部１２の両短辺側に設けられた２つのバックライト支持体１７、１７には、それぞれ同数の蛍光管挿入穴１８、１８…が形成されており、また、２つのバックライト支持体１７、１７は、それぞれの蛍光管挿入穴１８、１８…が対向するように、バックライトシャーシ１０内に配されているため、複数の蛍光管４１、４１…は、２つのバックライト支持体１７、１７の間に略平行に等間隔で配される。
【００４５】
光学部材受部１４には、開口１１より若干大きく、光学部材受部１４に嵌合可能な大きさの略長方形をなす拡散板４２、並びに拡散板４２と略同じ大きさの略長方形をなす第１拡散シート４３及び第２拡散シート４４等の光学部材が、拡散板４２、第１拡散シート４３、第２拡散シート４４の順に積層されている。なお、拡散板４２、第１拡散シート４３及び第２拡散シート４４は、蛍光管４１、４１…が発する光を拡散して面光源とし、液晶パネル５０に照射するものである。
【００４６】
枠部１２の両長辺の外側面には、一側の短辺寄りの端部近傍に、それぞれ略円柱形の支軸１５、１５が突設されており、２つの支軸１５、１５の軸心が一致するようにしてある。また、他側の短辺の外側面には、短辺方向の両端近傍に、それぞれねじ穴１６、１６が形成されている。
【００４７】
また、光源装置１は、バックライトシャーシ１０の開口１１の周縁部分、即ち枠部１２の正面部分を覆う合成樹脂製の第１フレーム２０を備えている。図２は、本発明に係る液晶表示装置の第１フレーム２０の構成を示す斜視図である。
【００４８】
第１フレーム２０は、バックライトシャーシ１０の開口１１より若干小さい開口２１が形成され、バックライトシャーシ１０より若干大きい略長方形の枠部２２と、枠部２２の外周部に略垂直に、枠部２２の背面を囲むように設けられた側壁部２４とを備えている。ただし、側壁部２４は、枠部２２の一側の短辺には設けられず、両側の長辺それぞれ及び他側の短辺の３つの辺に設けられており、第１フレーム２０の背面視で略コ字型をなしている。
【００４９】
枠部２２の両長辺に対応する側壁部２４には、バックライトシャーシ１０の支軸１５、１５に嵌合する嵌合穴２６、２６が一側の短辺寄りにそれぞれ形成され、２つの嵌合穴２６、２６が対向して中心が一致するようにしてあり、また、他側の短辺寄りには略円柱形の支軸２５、２５がそれぞれ突設され、２つの支軸２５、２５の軸心が一致するようにしてある。バックライトシャーシ１０の２つの支軸１５、１５に、第１フレーム２０の２つの嵌合穴２６、２６を嵌合させることで、第１フレーム２０は、バックライトシャーシ１０の枠部１２の正面部分に近接及び離隔するように、バックライトシャーシ１０に支軸１５、１５を中心として回動可能に枢支される。なお、第１フレーム２０は合成樹脂製であるため、側壁部２４を撓ませることによって、嵌合穴２６、２６をバックライトシャーシ１０の支軸１５、１５に嵌合させることができる。また、第１フレーム２０をバックライトシャーシ１０に最も近接させた場合、第１フレーム２０がバックライトシャーシ１０の開口１１の周縁部分を覆うように、即ち第１フレーム２０の枠部２２がバックライトシャーシ１０の枠部１２の正面部分を覆い、第１フレーム２０の側壁部２４がバックライトシャーシ１０の枠部１２の外側面部分を覆うようにしてある。
【００５０】
枠部２２の他側の短辺に対応する側壁部２４には、短辺方向の両端近傍に貫通孔２８、２８がそれぞれ形成されている。貫通孔２８、２８は、第１フレーム２０がバックライトシャーシ１０を覆った場合に、バックライトシャーシ１０に形成されたねじ穴１６、１６に対向する位置に形成してあり、貫通孔２８、２８にそれぞれねじ４６、４６を通してねじ穴１６、１６に螺合させることにより、第１フレーム２０をバックライトシャーシ１０に回動不可能に固定することができるようにしてある。また、枠部２２の一側の短辺の正面部分には、短辺方向の両端近傍にそれぞれねじ穴２７、２７が形成されている。
【００５１】
また、枠部２２の正面部分には、開口２１の周囲に沿って、開口２１より若干大きい略長方形の枠状をなすリブ２３が突設されている。リブ２３の枠部２２からの突出量は、液晶パネル５０の厚さと略同じにしてあり、リブ２３の内側の大きさは、液晶パネル５０の大きさと略同じにしてある。よって、開口２１より若干大きな略長方形の液晶パネル５０が、リブ２３内に収容できるようにしてある。
【００５２】
第１フレーム２０に突設されたリブ２３内に収容された液晶パネル５０は、第１フレーム２０を覆うようにして設けられる金属製の第２フレーム３０と第１フレーム２０とにより挟持されて不動に固定されるようにしてある。図３は、本発明に係る液晶表示装置の第２フレーム３０の構成を示す斜視図である。
【００５３】
第２フレーム３０は、第１フレーム２０の開口２１と略同じ大きさの開口３１が形成され、第１フレーム２０より若干大きい略長方形の枠部３２と、枠部３２の両長辺から背面側へ略垂直に設けられた側壁部３３とを備えている。枠部３２の一側の短辺の正面部分には、短辺方向の両端近傍にそれぞれ貫通孔３５、３５が形成されている。また、側壁部３３には、第１フレーム２０の支軸２５、２５に嵌合する嵌合穴３４、３４が他側の短辺寄りにそれぞれ形成されており、２つの嵌合穴３４、３４は対向して中心が一致するようにしてある。
【００５４】
第１フレーム２０の２つの支軸２５、２５に、第２フレーム３０の２つの嵌合穴３４、３４を嵌合させることで、第２フレーム３０は、第１フレーム２０の枠部２２の正面部分に近接及び離隔するように、第１フレーム２０に支軸２５、２５を中心として回動可能に枢支される。なお、第２フレーム３０は薄い金属板により形成されており、側壁部３３を撓ませて、嵌合穴３４、３４を第１フレーム２０の支軸２５、２５に嵌合させることができるようにしてある。また、第２フレーム３０を第１フレーム２０に最も近接させた場合、第２フレーム３０が第１フレーム２０の開口２１の周縁部分を覆うように、即ち第２フレーム３０の枠部３２が第１フレーム２０の枠部２２の正面部分を覆い、第２フレーム３０の側壁部３３が第１フレーム２０の側壁部２４を覆うようにしてある。なお、バックライトシャーシ１０に突設された支軸１５、１５は、第１フレーム２０の嵌合穴２６、２６に嵌合させ、第１フレーム２０を第２フレーム３０で覆う場合に、第２フレーム３０の側壁部３３に接触することがないように、第１フレーム２０の側壁部２４の厚さと同程度又はこれより若干長い程度の突出長にしてある。
【００５５】
第２フレーム３０の貫通孔３５、３５は、第２フレーム３０が第１フレーム２０を覆った場合に、第１フレーム２０の枠部２２に形成されたねじ穴２７、２７に対向する位置に形成してあり、貫通孔３５、３５にそれぞれねじ４７、４７を通してねじ穴２７、２７に螺合させることにより、第２フレーム３０を第１フレーム２０に回動不可能に固定することができるようにしてある。
【００５６】
図４は、本発明に係る液晶表示装置の液晶パネル５０の交換方法を示す模式的側面図である。ただし、図４においては、バックライトシャーシ１０、第１フレーム２０及び第２フレーム３０のみ図示し、蛍光管４１、４１…、拡散板４２、第１拡散シート４３、第２拡散シート４４、液晶パネル５０、ねじ４６、４６及びねじ４７、４７等は図示を省略する。
【００５７】
液晶表示装置は、通常使用時には、蛍光管４１、４１…がバックライトシャーシ１０に収容され、バックライトシャーシ１０の光学部材受部１４に拡散板４２、第１拡散シート４３及び第２拡散シート４４が積層され、バックライトシャーシ１０が第１フレーム２０に覆われて、ねじ４６、４６により固定され、第１フレーム２０のリブ２３内に液晶パネル５０が収容され、第１フレーム２０が第２フレーム３０に覆われて、ねじ４７、４７により固定された状態にしてある（図４（ａ）参照）。
【００５８】
液晶表示装置の使用と共に液晶パネル５０が劣化し、液晶パネル５０の交換を行う場合には、第１フレーム２０及び第２フレーム３０を固定するねじ４７、４７を外し、第２フレーム３０を第１フレーム２０に対して支軸２５、２５を中心に略９０度回動させる（図４（ｂ）参照）。これにより、第１フレーム２０及び第２フレーム３０に挟持されて固定されていた液晶パネル５０の固定が解除され、液晶パネル５０の交換を行うことができる。
【００５９】
液晶パネル５０の交換終了後、第２フレーム３０を回動させて第１フレーム２０を覆い、ねじ４７、４７を第２フレーム３０の貫通孔３５、３５を通して第１フレーム２０のねじ穴２７、２７に螺合させることにより、第２フレーム３０が回動不可能に第１フレーム２０に固定され、液晶パネル５０が第１フレーム２０及び第２フレーム３０に挟持されて固定される。
【００６０】
図５は、本発明に係る液晶表示装置の蛍光管４１、４１…及び光学部材の交換方法を示す模式的側面図である。ただし、図５においては、バックライトシャーシ１０、第１フレーム２０及び第２フレーム３０のみ図示し、蛍光管４１、４１…、拡散板４２、第１拡散シート４３、第２拡散シート４４、液晶パネル５０、ねじ４６、４６及びねじ４７、４７等は図示を省略する。
【００６１】
液晶表示装置は、通常使用時には、蛍光管４１、４１…がバックライトシャーシ１０に収容され、バックライトシャーシ１０の光学部材受部１４に拡散板４２、第１拡散シート４３及び第２拡散シート４４が積層され、バックライトシャーシ１０が第１フレーム２０に覆われて、ねじ４６、４６により固定され、第１フレーム２０のリブ２３内に液晶パネル５０が収容され、第１フレーム２０が第２フレーム３０に覆われて、ねじ４７、４７により固定された状態にしてある（図５（ａ）参照）。
【００６２】
液晶表示装置の使用と共に蛍光管４１、４１…又は拡散板４２、第１拡散シート４３及び第２拡散シート４４等の光学部材が劣化し、蛍光管４１、４１…又は光学部材の交換を行う場合には、バックライトシャーシ１０及び第１フレーム２０を固定するねじ４６、４６を外し、第１フレーム２０をバックライトシャーシ１０に対して支軸１５、１５を中心に略９０度回動させる（図５（ｂ）参照）。このとき、第１フレーム２０及び第２フレーム３０は、ねじ４７、４７により固定されているため、第２フレーム３０は第１フレーム２０と共にバックライトシャーシ１０に対して回動する。これにより、バックライトシャーシ１０の光学部材受部１４から拡散板４２、第１拡散シート４３及び第２拡散シート４４等の光学部材を取り外して交換することができ、また、光学部材を取り外すことによって、バックライトシャーシ１０の開口１１から蛍光管４１、４１…を取り出して交換することができる。
【００６３】
蛍光管４１、４１…又は光学部材の交換終了後、第１フレーム２０を回動させてバックライトシャーシ１０を覆い、ねじ４６、４６を第１フレーム２０の貫通孔２８、２８を通してバックライトシャーシ１０のねじ穴１６、１６に螺合させることにより、第１フレーム２０が回動不可能にバックライトシャーシ１０に固定される。
【００６４】
以上の構成の液晶表示装置においては、第２フレーム３０を第１フレーム２０に対して略９０度程度回動させるのみで液晶パネル５０の交換を行うことができるため、作業が簡単であると共に、作業領域が小さくてよいため、作業効率を向上することができる。また、交換作業の終了後には、第２フレーム３０を回動させて第１フレーム２０を覆い、ねじ４７、４７で固定するのみでよく、第１フレーム２０及び第２フレーム３０の位置決めを行う必要がない。また、第１フレーム２０に支軸２５、２５を突設し、第２フレーム３０に嵌合穴３４、３４を形成するのみでよいため、第２フレーム３０を回動させる機構を設けることによるコストの増加を抑制できる。また、第２フレーム３０の貫通孔３５、３５にねじ４７、４７を通して第１フレーム２０のねじ穴２７、２７に螺合させるのみで、簡単に第２フレーム３０を第１フレーム２０に対して回動不可能に固定することができる。
【００６５】
同様に、第１フレーム２０をバックライトシャーシ１０に対して略９０度程度回動させるのみで蛍光管４１、４１…又は拡散板４２、第１拡散シート４３及び第２拡散シート４４等の光学部材の交換を行うことができるため、作業が簡単であると共に、作業領域が小さくてよいため、作業効率を向上することができる。また、交換作業の終了後には、第１フレーム２０を回動させてバックライトシャーシ１０を覆い、ねじ４６、４６で固定するのみでよく、バックライトシャーシ１０及び第１フレーム２０の位置決めを行う必要がない。また、バックライトシャーシ１０に支軸１５、１５を突設し、第１フレーム２０に嵌合穴２６、２６を形成するのみでよいため、第１フレーム２０を回動させる機構を設けることによるコストの増加を抑制できる。また、第１フレーム２０の貫通孔２８、２８にねじ４６、４６を通してバックライトシャーシ１０のねじ穴１６、１６に螺合させるのみで、簡単に第１フレーム２０をバックライトシャーシ１０に対して回動不可能に固定することができる。また、第１フレーム２０の回動方向と第２フレーム３０の回動方向とを逆方向とし、即ちバックライトシャーシ１０の支軸１５、１５の突設位置と第１フレーム２０の支軸２５、２５の突設位置とを液晶表示装置の長辺方向の反対側としたため、液晶パネル５０の交換を行う場合に第１フレーム２０を回動させる、又は蛍光管４１、４１…若しくは光学部材の交換を行う場合に第２フレーム３０を回動させる等の誤操作を行う虞がない。
【００６６】
なお、本実施の形態においては、バックライトシャーシ１０及び第１フレーム２０を合成樹脂製とし、第２フレーム３０を金属製としたが、これに限るものではなく、他の材料で形成してもよい。また、光源をなす発光体として蛍光管４１、４１…を備える構成としたが、これに限るものではなく、例えば発光体としてＬＥＤを備える構成であってもよく、その他の発光体を備える構成であってもよい。また、表示素子として液晶パネル５０を備える液晶表示装置を例に説明を行ったが、これに限るものではなく、他の表示素子を備える表示装置に同様の構成を適用してもよい。
【００６７】
また、バックライトシャーシ１０に支軸１５、１５を突設し、第１フレーム２０に嵌合穴２６、２６を形成する構成としたが、これに限るものではなく、例えば、第１フレームの側壁部の内側から支軸を突設し、バックライトシャーシの枠部の外側面に支軸と嵌合する嵌合穴を形成する構成としてもよく、また、支軸及び嵌合穴以外の構成で第１フレームをバックライトシャーシに対して回動させる構成としてもよい。また、第１フレーム２０及び第２フレーム３０の回動構造に関しても同様である。
【００６８】
また、第１フレーム２０に形成された貫通孔２８、２８にねじ４６、４６を通し、バックライトシャーシ１０に形成されたねじ穴１６、１６に螺合させることで、第１フレーム２０及びバックライトシャーシ１０を固定する構成としたが、これに限るものではなく、例えば第１フレーム又はバックライトシャーシのいずれかに可撓性を有する爪を設け、他方に爪に係合する溝を設ける構成としてもよく、その他の構成であってもよい。また、第１フレーム２０及び第２フレーム３０を固定する固定構造に関しても同様である。
【００６９】
また、拡散板４２、第１拡散シート４３又は第２拡散シート４４等の光学部材をバックライトシャーシ１０及び第１フレーム２０の間に設ける構成としたが、これに限るものではなく、第１フレーム２０及び液晶パネル５０の間に設ける構成であってもよい。また、拡散板４２、第１拡散シート４３及び第２拡散シート４４をバックライトシャーシ１０及び第１フレーム２０が挟持し、液晶パネル５０を第１フレーム２０及び第２フレーム３０が挟持することで固定する構成としたが、これに限るものではなく、バックライトシャーシ１０又は第１フレームにねじなどを用いて固定する構成であってもよい。
【００７０】
また、第１フレームをバックライトシャーシから離隔する方向へ略９０度回動させた位置にて、第１フレームを回動不可能に係止する係止手段を更に設けてもよく、この場合には蛍光管の交換作業がより行いやすいという利点がある。また、同様にして、第２フレームを第１フレームから離隔する方向へ略９０度回動させた位置にて、第２フレームを回動不可能に係止する係止手段を更に設けてもよい。
【図面の簡単な説明】
【００７１】
【図１】本発明に係る液晶表示装置の構成を示す分解斜視図である。
【図２】本発明に係る液晶表示装置の第１フレームの構成を示す斜視図である。
【図３】本発明に係る液晶表示装置の第２フレームの構成を示す斜視図である。
【図４】本発明に係る液晶表示装置の液晶パネルの交換方法を示す模式的側面図である。
【図５】本発明に係る液晶表示装置の蛍光管の交換方法を示す模式的側面図である。
【符号の説明】
【００７２】
１  光源装置
１０  バックライトシャーシ（シャーシ）
１１  開口
１５  支軸
１６  ねじ穴（第１規制手段）
２０  第１フレーム
２１  開口
２５  支軸
２６  嵌合穴
２７  ねじ穴（第２規制手段）
２８  貫通孔
３０  第２フレーム
３１  開口
３４  嵌合穴
３５  貫通孔
４１  蛍光管（発光体）
４２  拡散板（光学部材）
４３  第１拡散シート（光学部材）
４４  第２拡散シート（光学部材）
４６、４７  ねじ
５０  液晶パネル（表示素子）
１０１  光源装置
１１０  バックライトシャーシ（シャーシ）
１２０  フレーム
１２１  開口
１２６  嵌合穴
１２８  貫通孔
【図１】
0004762003.tif 000002
【図２】
0004762003.tif 000003
【図３】
0004762003.tif 000004
【図４】
0004762003.tif 000005
【図５】
0004762003.tif 000006